(57)【要約】      （修正有）【課題】耐摩耗性に優れる釣り糸構造体を提供する。【解決手段】釣り糸構造体は、メインコア１０、色彩層２０、金属層３０、及びシリコーン層４０を含む。色彩層２０がメインコア１０を、金属層３０が色彩層２０を、シリコーン層４０が金属層３０を被覆する。このように、金属層３０が色彩層２０及びメインコア１０を被覆することによって、釣り糸の耐摩耗性、剛性を向上させながら、金属の比重が高いため、沈降性も向上し、釣り糸を速く沈めることができる。【選択図】図２
0003231941.tif 000002
【実用新案登録請求の範囲】
【請求項１】
メインコアと、
前記メインコアを被覆する色彩層と、
前記色彩層を被覆する金属層と、
前記金属層を被覆するシリコーン層と、
を含むことを特徴とする耐摩耗性に優れる釣り糸構造体。
【請求項２】
前記メインコアは、ポリエチレン（ｐｏｌｙｅｔｈｙｌｅｎｅ，ＰＥ）製の細線タイプのＰＥ線である請求項１に記載の耐摩耗性に優れる釣り糸構造体。
【請求項３】
前記色彩層は塗布で前記メインコアを被覆し、前記色彩層は、１つ以上の色を含む、請求項１に記載の耐摩耗性に優れる釣り糸構造体。
【請求項４】
前記色彩層は濃い色を呈する、請求項３に記載の耐摩耗性に優れる釣り糸構造体。
【請求項５】
前記金属層は金属粒子で構成される、請求項１に記載の耐摩耗性に優れる釣り糸構造体。
【請求項６】
前記金属層の金属粒子は、チタン粒子、アルミニウム粒子、鉄粒子、または銅粒子から選ばれるものである、請求項５に記載の耐摩耗性に優れる釣り糸構造体。
【請求項７】
前記金属層の金属粒子は、粒径９０μｍに超微粉砕した金属材料で構成される、請求項５に記載の耐摩耗性に優れる釣り糸構造体。
【請求項８】
前記金属層の金属粒子の粒子径は、前記メインコアの線径に比例する、請求項５に記載の耐摩耗性に優れる釣り糸構造体。
【請求項９】
前記金属層の金属粒子の一部が前記色彩層内に混ぜ込まれて、一部が前記色彩層を被覆する、請求項５に記載の耐摩耗性に優れる釣り糸構造体。
【請求項１０】
前記金属層は前記色彩層を完全に被覆する、請求項１に記載の耐摩耗性に優れる釣り糸構造体。
【考案の詳細な説明】
【技術分野】
【０００１】
本考案は、釣り糸構造体に関し、特に耐摩耗性に優れる釣り糸構造体に関する。
【背景技術】
【０００２】
社会の進歩と経済の発展に伴い、人々の生活水準が向上し、釣りが人気になっていく。特に、優れる耐摩耗性を有する釣り糸はアングラーと釣り具メーカーが追求している目標の１つである。既存の釣り糸構造体は、図１に示すように、メインコア１０Ａ、色彩層２０Ａ、及びシリコーン層３０Ａを有する。耐摩耗性を向上させるために、シリコーン層３０Ａを例えば、９０μｍから４００μｍに厚くする対策が採用されている。一方、シリコーン層３０Ａが厚くなれば表皮が硬くなるが、柔軟性が悪くなるため、耐摩耗性の改良はまだ理想的でない。
【０００３】
そこで、本考案は、上記課題に鑑みなされ、本考案の考案者は、長年にわたり関連製品の開発・設計に携わり、上記の欠点を改善することができると感じ、上記の欠点を改善するための合理的で効果的なデザインを考え出した。
【考案の概要】
【考案が解決しようとする課題】
【０００４】
本考案が解決しようとする課題は、既存技術の不足に対して、耐摩耗性に優れる釣り糸構造体を提供ことである。
【課題を解決するための手段】
【０００５】
上記の技術的課題を解決するために、本考案が採用する技術的手段の１つとして、下記のような耐摩耗性に優れる釣り糸構造体を提供する。釣り糸構造体は、メインコア、色彩層、金属層、及びシリコーン層を含む。なかでも、前記色彩層が前記メインコアを、前記金属層が前記色彩層を、前記シリコーン層が前記金属層を被覆する。
【０００６】
好ましい実施形態において、前記メインコアは、ポリエチレン（ｐｏｌｙｅｔｈｙｌｅｎｅ，ＰＥ）製の細線タイプのＰＥ線である。
【０００７】
好ましい実施形態において、前記色彩層は塗布で前記メインコアを被覆し、前記色彩層は、１つ以上の色を含む。
【０００８】
好ましい実施形態において、前記色彩層が呈する色は濃い色である。
【０００９】
好ましい実施形態において、前記金属層は金属粒子で構成される。
【００１０】
好ましい実施形態において、前記金属層の金属粒子は、は、チタン粒子、アルミニウム粒子、鉄粒子、または銅粒子から選ばれるものである。
【００１１】
好ましい実施形態において、前記金属層の金属粒子は、粒径９０μｍに超微粉砕した金属材料で構成される。
【００１２】
好ましい実施形態において、前記金属層の金属粒子の粒子径は、メインコアの線径に比例する。
【００１３】
好ましい実施形態において、前記金属層の金属粒子では、一部が前記色彩層に混ぜ込まれて、一部が前記色彩層を被覆するように構成される。
【００１４】
好ましい実施形態において、前記金属層は前記色彩層を完全に被覆している。
【考案の効果】
【００１５】
このように、前記金属層が前記色彩層及び前記メインコアを被覆することによって、釣り糸の耐摩耗性、剛性を向上させながら、金属の比重が高いため、沈降性も向上し、釣り糸を速く沈めることができる。
【図面の簡単な説明】
【００１６】
【図１】従来技術に係る釣り糸構造体を示す側面模式図である。
【図２】本考案に係る第１の実施形態の耐摩耗性に優れる釣り糸構造体を示す側面模式図である。
【図３】本考案に係る第２の実施形態の耐摩耗性に優れる釣り糸構造体を示す側面模式図である。
【考案を実施するための形態】
【００１７】
本考案の特徴及び技術内容がより一層分かるように、以下の本考案に関する詳細な説明と添付図面を参照する。しかし、提供される添付図面は参考と説明のために提供するものに過ぎず、本考案の請求の範囲を制限するためのものではない。
【００１８】
以下、特定の具体的な実施形態によって本考案が開示する「耐摩耗性に優れる釣り糸構造体」に係る実施形態を説明し、当業者は、本明細書に開示される内容に基づいて本考案の利点と効果を理解することができる。本考案は、他の異なる具体的な実施形態によって実行又は応用でき、本明細書における各細部についても、異なる観点と用途に基づいて、本考案の構想から逸脱しない限り、各種の修正と変更を行うことができる。また、事前に説明するように、本考案の添付図面は、簡単な模式的説明であり、実際の寸法に基づいて描かれたものではない。以下の実施形態に基づいて本考案に係る技術内容を更に詳細に説明するが、開示される内容は本考案の保護範囲を制限するためのものではない。
【００１９】
［第１の実施形態］
図２に示すように、本考案に係る第１の実施形態は、メインコア１０、色彩層２０、金属層３０、及びシリコーン層４０を含む耐摩耗性に優れる釣り糸構造体を提供する。これにおいて、前記色彩層２０が前記メインコア１０を、前記金属層３０が前記色彩層２０を、前記シリコーン層４０が前記金属層３０を被覆する。
【００２０】
本実施形態において、前記メインコア１０は、ポリエチレン（ｐｏｌｙｅｔｈｙｌｅｎｅ，ＰＥ）製の細線タイプのＰＥ線であり、かつその糸は大型魚や凶暴な魚を相手にする際には、強度が高く、折れにくいラインである。また、前記メインコア１０はモノフィラメントで構成されてもよいが、１本以上の多数合わせて糸にしたマルチフィラメントで構成されてもよいが、ここでは制限されない。他の実施形態において、前記メインコア１０としては、ナイロン線、鋼線、セラミック線、炭素繊維線等が挙げられる。
【００２１】
前記色彩層２０が前記メインコア１０を被覆する。本実施形態において、前記色彩層２０は塗布で前記メインコア１０を被覆することとなるが、ペイントスプレー塗装で前記メインコア１０の表面を被覆してもよい。さらに、前記色彩層２０は、１つ以上の色を含んでもよい。魚の種類に応じて、魚にとって魅力的な色を用いることができ、本実施形態では、黒色、青色等の濃い色が例示される。そのため、本実施形態において、前記色彩層２０が呈する色彩は濃い色である。濃い色は、明るさが比較的に低い色である。詳しくは、例えば、ＰＣＣＳ（日本色研配色体系）が定めるトーンの名前の中、ビビッドトーン、ディープトーン、ストロングトーン、グレイッシュトーン、ダークトーン、ダルトーン、ダークグレイッシュトーン等の色が挙げられるが、特に、ビビッドトーン、ディープトーン、ストロングトーン、ダルトーン、ダークグレイッシュトーン等が好ましい。
【００２２】
前記金属層３０が前記色彩層２０を被覆する。本実施形態において、前記金属層３０は前記色彩層２０を完全的に被覆してもよいが、部分的に前記色彩層２０を被覆してもよい。かつ、前記金属層３０は金属粒子３１で構成される。換言すれば、前記金属層３０は金属粉末で構成される。
【００２３】
さらに言えば、前記金属層３０の金属粒子３１は、チタン粒子、アルミニウム粒子、鉄粒子、または銅粒子から選ばれるものである。換言すれば、前記金属層３０の金属粒子３１は、チタン粉末、アルミニウム粉末、鉄粉、または銅粉末から選ばれるものである。
【００２４】
さらに言えば、前記金属層３０の金属粒子３１は、粒径９０μｍに超微粉砕した金属材料で構成される。
【００２５】
本実施形態において、前記金属層３０の金属粒子３１の粒子径は、前記メインコア１０の線径に比例する。
【００２６】
さらに言えば、前記メインコア１０の線径は０．０９〜０．１０４ｍｍであり、前記金属層３０の金属粒子３１の粒子径は、９０μｍである。また、前記メインコア１０の線径は０．１２８〜０．１４８ｍｍであり、前記金属層３０の金属粒子３１の粒子径は、１５０μｍであってもよい。
【００２７】
上記を踏まえて、本実施形態は、前記金属層３０が前記色彩層２０及び前記メインコア１０を被覆しながら、前記色彩層２０と前記シリコーン層４０との間に介在する構造設計によって、釣り糸の耐摩耗性、剛性が効果的に向上し、金属の比重が高いため、沈降性も向上し、釣り糸を速く沈めることができる。
【００２８】
［第２の実施形態］
図３を参照されたい。図３は本考案に係る第２の実施形態を示す。本実施形態は第１の実施形態と同様であるため、両実施形態の相違点以外については繰り返さない。以下は、本実施形態の第１との実施形態の相違点を説明する。
【００２９】
前記金属層は部分的に前記色彩層２０を被覆する。即ち、前記金属層の金属粒子３１の一部が前記色彩層２０内に混ぜ込まれて、一部が前記色彩層２０を被覆するように構成される。かつ、本実施形態は、前記金属粒子３１が混ぜ込まれた前記色彩層２０が前記メインコア１０と前記シリコーン層４０との間に介在する構成によって、釣り糸の耐摩耗性、剛性は効果的に向上し、金属の比重が高いため、沈降性も向上し、釣り糸を速く沈めることができる。
【００３０】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３１】
１０Ａ：メインコア
２０Ａ：色彩層
３０Ａ：シリコーン層
１０：メインコア
２０：色彩層
３０：金属層
３１：金属粒子
４０：シリコーン層
【図１】
0003231941.tif 000003
【図２】
0003231941.tif 000004
【図３】
0003231941.tif 000005